(57)【特許請求の範囲】
【請求項１】
樹木の根が突き破ることが可能な素材よりなり、外部に連通する窓を設けた複数の区画室を全長方向に連続させた土嚢と、この土嚢の上面に重合固定される格子状の枠体からなり、土嚢には用土が収容されると共に樹木が各窓より植え込まれ、枠体は剛性を有すると共に格子が樹木の茎又は幹が通過可能な大きさを有する緑化部材において、土嚢に収容される用土には栄養分を含ませないことを特徴とする緑化部材。
【発明の詳細な説明】
【０００１】
【発明の属する技術分野】
この発明は法面への植樹に最適な緑化部材に関し、より詳細には、樹木が定着することが難しい土質の法面への植樹を可能にすると共にそれに要する施工時間を短縮する緑化部材に関する。
【０００２】
【従来の技術】
例えば、採石や採鉱をするために山を切り崩すと、図８に示すように山Ｍの切り崩した後に法面Ｇが形成されることとなる。そして、この法面Ｇには当然のことながら樹木が存しないのだから、著しく景観を損ね、又その部分だけ保水力を欠き、土砂崩れ等の災害の原因となった。よって、このような法面に植樹をして緑化することが望まれており、このための手段としては樹木を植樹することが公知であった。
【０００３】
【発明が解決しようとする課題】
しかしながら、この種の法面は採石や採鉱をした後に形成されるのであるから、当然のことながら土質は石や岩盤であり、そこに樹木を植樹をすることは困難を極めた。
【０００４】
勿論、松を代表とするある種の樹木は、土質が石や岩盤であってもこれらに打ち勝って根を張るので着床することが可能である。ところが、その状態に至るまでには長年月を要し、それまで樹木を法面上に定着させて生育しなくてはならない。この場合、従来技術では、法面に樹木を生育させるための客土を施していたが、平坦地と異なり法面に客土を施すことは多大な労力を要し、又折角客土を施しても雨水等で流出してしまうおそれがあった。
【０００５】
又、客土の層が薄いと、根の成長に伴って樹木が逆に固い法面に対して浮き上がってしまい、根が法面に侵入して着床しない問題も生じた。
【０００６】
更に、法面が急斜面の場合（例えば、７５°近い場合もある）、作業員が法面に登って植樹作業を行うことは危険を極め、又特別な足場も必要となり、安全面及びコスト面の双方において問題があった。
【０００７】
【課題を解決するための手段】
この発明は上記の如き従来技術の問題点を解消した法面の緑化を可能とした緑化部材を提供することを目的として創作されたものである。即ち、この発明の緑化部材は樹木の根が突き破ることが可能な素材よりなり、外部に連通する窓を設けた複数の区画室を全長方向に連続させた土嚢と、この土嚢の上面に重合固定される格子状の枠体からなり、土嚢には用土が収容されると共に樹木が各窓より植え込まれ、枠体は剛性を有すると共に格子が樹木の茎又は幹が通過可能な大きさを有することを特徴とする。尚、この発明に関連する公知発明を開示した文献として特開平１０−１９５８７８号が存し、この発明の緑化部材を利用して法面に植樹することは同発明の利用となる。
【０００８】
【発明の実施の形態】
次にこの発明の緑化部材及びその使用方法の具体的実施例を添付図面に基づいて説明する。図１及び図２はこの発明の緑化部材Ｐを示す図である。この緑化部材Ｐは土嚢１と枠体６から構成される。
【０００９】
土嚢１は内部に用土を収容するための複数の区画室２を土嚢の全長方向に順次連続させることにより構成される。土嚢１を構成する素材は少なくとも可撓性を有し、且つ樹木Ｔの根が突き破ることが可能な程度の強度であることが必要であり、ここでは例えばポリエステル、ナイロン、ポリエチレン、ポリプロピレン、ポリエステルスパンボンド等からなる不織布のシートを想定している。尚、土嚢１はここでは完全に閉じた袋状のものを例示しているが、用土を収容できれば必ずしも完全に閉じたものでなくても、例えば端部が開閉できる袋状のものでもよいことは勿論である。
【００１０】
図中符号３は上記の区画室に設けられる窓であり、この実施例においては土嚢１の全長方向に沿ったスリットとして構成される。この窓３は各区画室２に配される樹木Ｔの本数及び間隔に対応して設けられるものであるが、必要に応じて一つの窓或いは複数の窓毎に各区画室２を更に区画してもよいことは勿論である（このための区画壁については図示せず）。
【００１１】
土嚢１の上面には枠体６が重合固定される。この枠体６は土嚢１に植え込まれた樹木Ｔの茎又は幹が通過可能な大きさの格子を有すると共に、土嚢の重さによる多少の撓みは許しても折れ曲がらない程度の剛性を有することが要件となる。この実施例では金属製の線材を格子状に結合したものをもって枠体６としている。枠体６は土嚢１の上面を覆う大きさのものであることが望ましく、一つの枠体に対し複数の土嚢を固定してもよく、ここでは全幅方向に３個並べた土嚢１・・１に一つの枠体６を重合固定して一つの緑化部材Ｐとした例を図示している。土嚢１と枠体６の固定手段としては、土嚢の端部や土嚢の周囲に設けた余白部分（図示せず）に枠体の外枠箇所を直接紐やバンド（図示せず）によって結びつける手段が想定できるが、それ以外の手段によってもよいことは勿論である。
【００１２】
以上の緑化部材Ｐの土嚢１には用土４が収容されると共に樹木Ｔが植え込まれる。用土４は窓３から土嚢１の各区画室２内に流し込んでもよいし、土嚢の端部が開閉できる場合はそこから各区画室内に流し込んでもよい。通常、容器内において植物を栽培する場合は用土を有機質のものとすると共に肥料等の栄養分を含ませることが常識であるが、この発明の緑化部材の場合は逆に用土は無機質のものとし肥料等の栄養分は含ませないことが望ましい。その理由については後記する。
【００１３】
樹木Ｔは土嚢１の各区画室２の各窓３より植え込まれる。樹木Ｔの植え込みは用土４の収容前であっても後であってもよく、又、これらの作業は土嚢１に枠体６を重合固定する前であっても後であってもよいことは勿論である。
【００１４】
以上の緑化部材は緑化を希望する法面に配されることにより使用に供される。即ち、緑化部材Ｐは法面Ｇの緑化を希望する面積分の個数が用意され、法面Ｇの所定の箇所に順次配されていく（図６参照）。以下、法面が石や岩盤である場合を例にとり、この発明の緑化部材を用いた植樹方法を図３乃至図７に基づいて説明する。
【００１５】
法面Ｇに配される緑化部材Ｐは法面に固定されるものであるが、ここでは固定手段としてアンカーを採用している。図３に示すように植樹を行う法面Ｇには先ず、アンカー７（ここでは長さ２乃至３ｍの金属製のものを想定している）が所要間隔を取って打ち込み等により埋設される。次いで、図３及び図４に示すように植え込みが完了した緑化部材Ｐをクレーン等により吊り上げ、樹木の幹部分を各窓より露出させた状態で法面Ｇに配する。そして、法面Ｇに配された緑化部材Ｐは枠体６が法面のアンカー７に固定される（図５参照）。ここでは枠体６を法面Ｇより突出させたアンカー７にワイヤー等により結びつけることにより固定しているが、法面への固定方法はこれに限られないことは勿論である。
【００１６】
一方、この使用例においては、樹木Ｔの根付を良好にするためと、土嚢１を法面Ｇの表面の凹凸に馴染ませるために土嚢１と法面Ｇとの間に用土１０を充填している。この用土１０の充填は図３に示すように、緑化部材Ｐを吊り上げた際にホッパー２０等により土嚢１の裏面方向から法面Ｇに散布することにより行われる。
【００１７】
以上の作業を終えた樹木Ｔは先ず緑化部材Ｐの土嚢１の内部の用土４を土床として成育し、次いで伸びた根が土嚢１を突き破って用土１０により成育し、更に法面Ｇに達して根を張り始める。そして、最終的には樹木Ｔは法面Ｇに完全に着床することとなる（図７の状態）。この場合、土嚢１の内部の用土４には栄養分を含ませていないので、樹木Ｔの根部分は栄養分を求めて早く生育し、一方、地上部分の幹、茎、葉などは栄養分が少ないので緩慢に生育し、結果的に樹木Ｔが法面Ｇに着床する前に幹、茎、葉などが生育し過ぎてその重量により緑化部材Ｐより脱落してしまう事態が防止されることとなる。尚、以上の段階において、樹木Ｔの地上に伸びる茎又は幹Ｔ１が枠体６の格子を貫通することはいうまでもない。
【００１８】
【発明の効果】
この発明は次の特有の効果を奏する。
▲１▼樹木の植え込み作業を地上で行うことができ、植え込み後は緑化部材を吊り上げて法面に配して固定するだけで植樹が完了するので、掘削等の法面上での植樹作業が不要であり、足場が悪いどのような法面であっても容易に植樹を行うことができる。
▲２▼同様に、法面の土質が石や岩盤であっても、やはり容易に植樹を行うことができる。
▲３▼樹木は法面上に固定される緑化部材の土嚢に固定されるので、雨水等で樹木が流出してしまうおそれが皆無であり、確実な植樹が実現される。
▲４▼樹木は、先ず緑化部材の土嚢を土床として着床し、次の段階において法面にその根が達するが、この場合、既に着床している土嚢は緑化部材の枠体により法面に対し確実に固定され、しかもそれ自体の重量を有しているので、根の成長に伴って樹木が固い法面に対して浮き上がってしまい、法面に侵入して着床しないというおそれがなく、確実な植樹が実現される。
▲５▼この発明によれば、従来植樹が極めて困難であった、採石や採鉱により生じた法面を容易に緑化することができ、景観の保護及び治水に寄与することとなる。
【図面の簡単な説明】
【図１】  この発明の緑化部材の樹木の一部の図示を省略した斜視図。
【図２】  この発明の緑化部材の樹木の図示を省略した分解斜視図。
【図３】  この発明の緑化部材の使用方法を示す一部切り欠き側面図。
【図４】  この発明の緑化部材の使用方法を示す一部切り欠き側面図。
【図５】  この発明の緑化部材の使用方法を示す拡大断面図。
【図６】  この発明の緑化部材の使用方法を示す正面図。
【図７】  この発明の緑化部材により緑化された法面の断面図。
【図８】  採石や採鉱により生じた法面の側面図。
【符号の説明】
Ｐ        緑化部材
Ｇ        法面
Ｔ        樹木
１        土嚢
２        区画室
３        窓
６        枠体
７        アンカー
【図１】
0004387494.tif 000002
【図２】
0004387494.tif 000003
【図３】
0004387494.tif 000004
【図４】
0004387494.tif 000005
【図５】
0004387494.tif 000006
【図６】
0004387494.tif 000007
【図７】
0004387494.tif 000008
【図８】
0004387494.tif 000009